(57)【要約】
【課題】  一体型で２種類の計測を選択的に行える重量計測器を提供すること
【解決手段】  重量の計測を行う本体を備える重量計測器であって、計測される重量を表示するための表示手段と、本体とは、開閉自在に設けられ、閉じた状態で被計測物の載置が可能な第１の載置台と、本体に設けられ、第１の載置台が閉じた状態で第１の載置台に覆われ、第１の載置台が開いた状態で被計測物とは異なる別の被計測物の載置が可能な第２の載置台と、第１の載置台への載置か、または、第２の載置台への載置かを判別する判別手段と、判別結果に基づいて、計測される重量の範囲、及び、重量の表示手段における表示形式を切り替える切替手段と、を備えることを特徴とする。
【選択図】      図１
0003101039.tif 000002
【実用新案登録請求の範囲】
【請求項１】
重量の計測を行う本体を備える重量計測器であって、
前記計測される重量を表示するための表示手段と、
前記本体とは、開閉自在に設けられ、閉じた状態で被計測物の載置が可能な第１の載置台と、
前記本体に設けられ、前記第１の載置台が閉じた状態で前記第１の載置台に覆われ、前記第１の載置台が開いた状態で前記被計測物とは異なる別の被計測物の載置が可能な第２の載置台と、
前記第１の載置台への載置か、または、前記第２の載置台への載置かを判別する判別手段と、
前記判別結果に基づいて、少くとも前記重量の前記表示手段における表示形式を切り替える切替手段と、を備えることを特徴とする重量計測器。
【請求項２】
前記表示形式は、最小単位重量、または、重量を示す単位の少なくともいずれか一方についてのものである請求項１に記載の重量計測器。
【請求項３】
前記第１の載置台は、更に、開いた状態で着脱自在である請求項１または請求項２に記載の重量計測器。
【考案の詳細な説明】
【技術分野】
【０００１】
本考案は、重量を計測する重量計測器に関し、計測可能な重量の範囲、及び、重量の表示形式を、計測の対象となるものに合わせて選択可能に計測することが可能なものに関する。
【背景技術】
【０００２】
近年、健康に対する関心は高く、日々の健康管理のために体重計が普及している。体重計の中には、例えば、いわゆるロードセルを用いて体重を電気信号に変えることで計測を行い、その計測結果を電気的な表示器を用いて表示する電子体重計がある。さらに、計測結果を見やすいように表示部を分離可能にした電子体重計（例えば、特許文献１参照。）、また、省スペースの観点から薄型にした電子体重計（例えば、特許文献２参照。）などがある。
【０００３】
一方、電子体重計と同じ原理を用いた、軽量のもの（例えば、０から５ｋｇ程度まで）を計測するためのいわゆるキッチンスケールなども、近年の低価格化に伴い普及している。
【０００４】
【特許文献１】特開２００１−１４７１５２号公報（段落〔００１２〕−〔００２３〕、第１図及び第２図）
【特許文献２】特開２００３−１４９０３８号公報（段落〔００１１〕−〔００３３〕、第１図乃至第１２図）
【考案の開示】
【考案が解決しようとする課題】
【０００５】
しかしながら、軽量のものを体重計で計測すると、体重計の計測範囲ではあるものの、計測結果は通常１００ｇ刻みや５００ｇ刻みの表示分解能で表示されるので、その被計測物の詳細な重量を計測することはできない。一方、キッチンスケールは、計測範囲が数ｋｇまでなのでその計測範囲を超える人間の体重は計測することはできない。したがって、体重を計測する場合には体重計を、軽量なものを計測する場合にはキッチンスケールを購入する必要がある、つまり、体重及び前記軽量なものの計測を必要とする場合には、体重計及びキッチンスケールを購入しなければならず、さらに、両者を設置または収納するスペースを確保する必要があった。
【０００６】
本考案は、上記事情に鑑みてなされたものであり、一体型で２種類の計測を選択的に行える重量計測器を提供することにある。
【課題を解決するための手段】
【０００７】
上記目的を達成するために、請求項１記載の考案は、重量の計測を行う本体を備える重量計測器であって、前記計測される重量を表示するための表示手段と、前記本体とは、開閉自在に設けられ、閉じた状態で被計測物の載置が可能な第１の載置台と、前記本体に設けられ、前記第１の載置台が閉じた状態で前記第１の載置台に覆われ、前記第１の載置台が開いた状態で前記被計測物とは異なる別の被計測物の載置が可能な第２の載置台と、前記第１の載置台への載置か、または、前記第２の載置台への載置かを判別する判別手段と、前記判別結果に基づいて、前記計測される重量の範囲、及び、前記重量の前記表示手段における表示形式を切り替える切替手段と、を備えることを特徴としている。
【０００８】
また、請求項２記載の考案は、前記表示形式は、最小単位重量、または、重量を示す単位の少なくともいずれか一方についてのものであることを特徴としている。
【０００９】
また、請求項３記載の考案は、前記第１の載置台は、更に、開いた状態で着脱自在であることを特徴としている。
【考案の効果】
【００１０】
請求項１に記載の考案によれば、少くとも表示形式（表示の最小単位重量である表示分解能や重量を示す単位）を、計測の対象となるものに合わせて選択可能に計測する、一体化された重量計測器を提供できる。
【００１１】
請求項３に記載の考案によれば、第２の載置台を用いて計測する際に、第１の載置台が邪魔にならない。
【考案を実施するための最良の形態】
【００１２】
本考案の特徴は、２種類の計測、言い換えると、計測範囲（計測可能な重量の範囲）及び表示形式（表示の最小単位重量である表示分解能や重量を示す単位）の異なる計測を、計測の対象となるものに合わせて選択可能に行うもので、これらを一体化することにある。つまり、例えば人の体重を計測する場合には、例えば０から２００ｋｇの計測範囲且つ例えば１００ｇ刻みの表示分解能とし、軽量なもの、例えば郵便物等を計測する場合には、例えば０から２ｋｇの計測範囲且つ例えば１ｇ表示分解能とし、また、これらを一体化することである。
【００１３】
（機械的構成）
図１は本考案の実施の形態の１例である体重計を示し、図１（ａ）乃至（ｃ）は、それぞれ計測の際の状態を示している。図１に示すように当該体重計は、計測部２と、計測部２とは分離した表示部１とからなる。また、以下、本実施の形態の説明において計測部２と表示部１を分離し、ワイヤレスで信号をやり取りするように説明するが、計測部２と表示部１とがケーブルを介して接続されたものや、一体で構成されたものであってもよい。
【００１４】
計測部２は、主に上部載置台３（第１の載置台）、内部載置台４（第２の載置台）、及び、本体カバー５からなる。
【００１５】
上部載置台３は、本体カバー５に図示しない支点を介し、図１（ａ）及び（ｂ）に示すように開閉自在に設けられている。さらに、上部載置台３は、開いた状態で前記図示しない支点を介し図１（ｃ）に示すように着脱自在になされている。また、上部載置台３の４つの角近傍には、スペーサ３１が例えば貼付されて設けられ、図１（ａ）に示す閉じた状態で、本体カバー５に接触するようになされている。また、このスペーサ３１により、上部載置台３は、閉じた状態では内部載置台４を覆うように上側に位置するが、上部載置台３と内部載置台４との隙間が確保される。
【００１６】
ここで、図２に示す計測部２の断面図を用いて上部載置台３を用いた重量の計測について説明する。図２に示すように上部載置台３を閉じた状態で、上部載置台３の上面に被計測物が載せられると、例えば、人間が載ると、本体カバー５に保持される重量センサ２１は、その重量を上記スペーサ３１及び本体カバー５を介して重量を検知して計測する（上部載置台３と内部載置台４との隙間があるので内部載置台４は重量を受けない。）。重量センサ２１は、４つの各スペーサ３１に本体カバー５を介して対向するように４つ設けられている。また、この重量センサ２１は、いわゆるロードセルで、本体カバー５を介して受ける重量に基づいて変形する起歪部（図示せず）に歪みゲージを貼り付けたものである。また、上部載置台３は、人間の体重に耐えうる強度が必要であり、例えば、金属、プラスチック、或いは、強化ガラスなどを用いて形成できる。また、スペーサ３１に代えて、上部載置台３を閉じた状態で下側が開口となる箱形状とし、開口部の各辺または一部分が本体カバー５に接するようにしてもよい。
【００１７】
内部載置台４は、円盤形状体４１が本体カバー５の中央部の凹部５１に備えられ、図１（ｂ）または（ｃ）に示すように上部載置台３を開いた状態または取り外した状態で、その上部が開放され、被計測物の載置が可能となる。円盤形状体４１には、その中央から下方向に突出するように伝達レバー４２が設けられ、伝達レバー４２の下端は、本体カバー５の上面側を貫通するようになされ、本体カバー５内部に備えられた重量センサ２２に接している。
【００１８】
ここで、内部載置台４を用いた重量の計測について説明する。内部載置台４を用いて重量を計測する場合には、図１（ｂ）または（ｃ）に示すように上部載置台３を開いた状態または取り外した状態にし、内部載置台４の円盤形状体４１の上面に被計測物を載置できるようにする。例えば、郵便物などを載置すると、その重量を、伝達レバー４２を介し重量センサ２２が検知して計測する。また、上述したように上部載置台３は、着脱可能であるため例えば大きな定形外郵便を計測する際に外してしまうことにより邪魔にならない。
【００１９】
したがって、本考案の「重量の計測を行う本体」は、上記の本体カバー５、及び、重量センサ２１、２２を含んで構成される。
【００２０】
また、本体カバー５には、後述の送信手段２４が出力する信号波を送出するための送出窓５２が設けられている。
【００２１】
表示部１は、例えばＬＣＤ（ｌｉｑｕｉｄ  ｃｒｙｓｔａｌ  ｄｉｓｐｌａｙ）１３（表示手段）に、上述の計測結果を表示（詳細後述）する。また、表示部１は図示しないが、吊り紐、裏面のフック、吸盤、磁石などにより壁面と取付可能にしたり、また、例えば、表示部１を起立させた状態で例えば机上に設置するための部材や形状を裏面に備えるようにしてもよい。また、後述の受信手段１１が信号波を出力するための受信窓１４が設けられている。
【００２２】
（電気的構成）
次に、図３を用いて当該体重計の電気的構成を説明する、図３は、電気的構成を示す機能ブロック図である。
【００２３】
まず、計測部２は、重量を上述の重量センサ２１，２２と、重量センサ２１，２２の出力を受けて重量を示す計測信号とするデータ変換手段２３と、計測信号を変調して信号波として出力する送信手段２４とを含む。
【００２４】
重量センサ２１，２２は、上述したようにいわゆるロードセルであり、上部載置台３または内部載置台４に載置された被計測物の重量により生ずる起歪部の歪みにより、貼付された歪みゲージの電気抵抗値が変化する。つまり、受ける重量と起歪部に発生する歪みの相関関係と、歪みと歪みゲージの電気抵抗値の相関関係とに基づいて、歪みゲージの電気抵抗値から重量を読み取ることができるのである。
【００２５】
データ変換手段２３は、歪みゲージの電気抵抗値の変化を示す出力から重量を示す計測信号に変換する。ここで、計測信号はデジタルデータである。この際、予め重量センサ２１，２２からの出力ごとにデータ変換手段２３に対する入力を割付ておき、いずれの重量センサ２１，２２の出力であるかを判別できるようになされている。また、上部載置台３の開閉を検知するセンサを備え、そのセンサの検知結果が閉じた状態の場合には、重量センサ２１の出力と判別し、そのセンサの検知結果が閉じていない状態の場合には重量センサ２２の出力と判別するようにしてもよい。つまり、本考案の「判別手段」としての機能を有する。
【００２６】
そして、例えば、重量センサ２１の出力と判別した場合には、重量センサ２１の出力値に基づいて、０から２００ｋｇの範囲で１００ｇ刻みの重量を示す計測信号に変換し、重量センサ２２の出力と判別した場合には、重量センサ２２の出力値に基づいて、０から３ｋｇの範囲で１ｇ刻みの重量を示す計測信号に変換する。つまり、本考案の「切替手段」としての機能を有する。
【００２７】
送信手段２４は、計測信号を受けて、変調して信号波として出力する。信号波としては電波、光（例えば赤外線）、超音波等が使用でき、それぞれ特性が異なるが、例えば、赤外線は、ある程度の指向性を持ち環境にノイズを発生し難く、家庭用電気器具のリモコン装置やパソコン機器に多く用いられている。
【００２８】
表示部１は、ＬＣＤ１３と、信号波を受けて計測信号に復調する受信手段１１と、計測信号に基づいて重量を表示するようにＬＣＤ１３を制御する表示制御手段１２とを含む。
【００２９】
表示制御手段１２は、復調された計測信号に基づいて重量の表示を行うようにＬＣＤ１３での表示を制御するのであるが、例えば、計測信号に前記データ変換手段２３によるいずれの重量センサ２１，２２の出力かの判別結果を情報として含み、識別結果が重量センサ２１の場合には、ＬＣＤ１３で表示する重量の単位を「ｋｇ」にするように制御し、例えば「４８．３ｋｇ」と表示し、識別結果が重量センサ２２の場合には、ＬＣＤ１３で表示する重量の単位を「ｇ」にするように制御し、例えば「２６５ｇ」と表示する。この場合には、表示制御手段１２は、重量を示す単位を切り替える本考案の「切替手段」としての機能を含むことになる。
【００３０】
また、データ変換手段２３で計測信号に「ｋｇ」または「ｇ」等の単位情報を判別結果に基づいて含むようにし、この単位情報に基づいて、表示制御手段１２は、重量の単位を切り替えて表示するように制御してもよい。この場合には、また、表示部１に表示する重量の単位を切り替えるためのボタンを用意しておき、そのボタンを用いた入力に基づく単位を用いて表示するようにしてもよい。
【００３１】
また、データ変換手段２３で変換して得られる計測信号は、例えば重量センサ２１、２２の出力に基づく１ｇ刻みより小さい刻みで、前記データ変換手段２３によるいずれの重量センサ２１，２２の出力かの判別結果を情報として含むもので、表示制御手段１２により、判別結果に基づいて、重量センサ２１であれば、０から２００ｋｇの範囲で１００ｇ刻みの重量をＬＣＤ１３で表示し、重量センサ２２であれば、０から３ｋｇの範囲で１ｇ刻みの重量をＬＣＤ１３で表示するように制御してもよい。この場合には、表示制御手段１２は、計測される重量の範囲、及び、表示の最小単位重量を切り替える本考案の「切替手段」としての機能を含む事になる。また、以上の説明から本考案の「切替手段」としての機能は、データ変換手段２３、または、表示制御手段１２に含まれている。
【００３２】
また、はじめに述べた計測部２と表示部１とがケーブルを介して接続されたものや、一体で構成されたものの場合には、データ変換手段２３は、送信手段２４及び受信手段１１を介さず、表示制御手段１２に接続されてよい。
【００３３】
上述のように、体重を計測する場合には、上部載置台３を閉じた状態にすることで体重の計測を選択し、上部載置台３に人が乗って体重を計測することができ、かつ、例えば郵便物等の軽量なものを計測する場合には、上部載置台３を開いた状態にすることで軽量なものの計測を選択し、内部載置台４に例えば郵便物を載置して計測することができ、その際、計測範囲及び表示形式は、計測の選択に応じ変えることができる。また、２種類の計測が上部載置台３の開閉により可能、すなわち一体化を実現できる。
【００３４】
また、上部載置台３で体重を、内部載置台４で例えば郵便物などの軽量なものを計測するように説明したが、内部載置台４で体重を、上部載置台３で例えば郵便物などの軽量なものを計測するようにしてもよい。また、上記説明において上部載置台３を四角形、内部載置台４を円形としたがこれらに限定されるものではない。
【図面の簡単な説明】
【００３５】
【図１】（ａ）乃至（ｃ）は本考案にかかる体重計の外観図であり、それぞれ、計測の際の状態を示す。
【図２】本実施の形態における体重計の断面図である。
【図３】本実施の形態における体重計の電気的構成の１例を示す機能ブロック図である。
【符号の説明】
【００３６】
１  表示部
１１  受信手段１１
１２  表示制御手段
１３  ＬＣＤ
１４  受信窓
２  計測部
２１、２２  重量センサ
２３  データ変換手段
２４  送信手段
３  上部載置台
３１  スペーサ
４  内部載置台
４１  円盤形状体
４２  伝達レバー
５  本体カバー
５１  凹部
５２  送出窓
【図１】
0003101039.tif 000003
【図２】
0003101039.tif 000004
【図３】
0003101039.tif 000005